(57)【要約】【課題】下階の床板が上階の床板の重量を受けて変形することを回避でき、床板の取付効率が向上になり、且つ土工板の搬送および取付工事を省略することができる。【解決手段】床板を吊り上げるための吊り鉤を含み、前記吊り鉤は床板が位置する平面よりも高く、前記吊り鉤と床板との間には引き手段が連接してあり、前記吊り鉤が建物の壁体にある取付部材に固定される、建物用床板の取付装置において、前記引き手段の上端は鉤リングを通過して取付部材と連接することを特徴とする建物用床板の取付装置。
2005525485.tif 000002
【特許請求の範囲】
【請求項１】
床板を吊り上げるための吊り鉤を含み、前記吊り鉤は床板が位置する平面よりも高く、前記吊り鉤と床板との間には引き手段が連接してあり、前記吊り鉤が建物の壁体にある取付部材に固定される、建物用床板の取付装置において、
前記引き手段の上端は鉤リングを通過して取付部材と連接することを特徴とする、
建物用床板の取付装置。
【請求項２】
前記取付部材はボルトにより、壁体にある取付ブロックに固定され、又は壁体にある鉄筋に固定されることを特徴とする、請求項１に記載の建物用床板の取付装置。
【請求項３】
前記取付部材は、互いに連接してＴ字形になる板状物と連接ロッドとを含み、前記板状物と連接ロッドの上端とが壁体内に埋められ、連接ロッドの下端が壁体を貫通して突出することを特徴とする、請求項１に記載の建物用床板の取付装置。
【請求項４】
前記連接ロッドは螺旋により引き手段と連接することを特徴とする、請求項３に記載の建物用床板の取付装置。
【請求項５】
前記引き手段はプル・ロッドであることを特徴とする、請求項１又は３に記載の建物用床板の取付装置。
【請求項６】
前記吊り鉤は、上階の土工板を支持する固定部材にある枠と連接することを特徴とする、請求項１に記載の建物用床板の取付装置。
【請求項７】
前記引き手段は螺旋ロッドであり、その下端は、床板内に挿入され、湾折されたものであり又は板状物と連接することを特徴とする、請求項１又は６に記載の建物用床板の取付装置。
【請求項８】
前記引き手段は、鋼索またはチェーンであることを特徴とする、請求項６に記載の建物用床板の取付装置。
【請求項９】
前記板状物は、螺旋により引き手段と連接することを特徴とする、請求項７に記載の建物用床板の取付装置。
【請求項１０】
前記吊り鉤は上階の床板を引くための引き手段であることを特徴とする、請求項１に記載の建物用床板の取付装置。
【請求項１１】
前記引き手段は螺旋ロッドであり、その上端が上階の床板を引くための螺旋ロッドの下端と連接し、その下端が引かれる床板を挿通することを特徴とする、請求項１０に記載の建物用床板の取付装置。
【請求項１２】
前記螺旋ロッドの間は溶接により連接することを特徴とする、請求項１１に記載の建物用床板の取付装置。
【請求項１３】
前記引き手段は、床板を挿通する鋼索またはチェーンであり、その間が鉤リングにより連接することを特徴とする、請求項１０に記載の建物用床板の取付装置。
【請求項１４】
前記鋼索またはチェーンの下端には、幅が上から下へ拡大する楔状物と連接し、前記楔状物が床板内に挿入してあり、前記楔状物の下端には重いものを吊り上げるための吊り鉤が設けてあることを特徴とする、請求項８又は１３に記載の建物用床板の取付装置。
【請求項１５】
床板の土工板と鉄筋とを先に取り付ける、建物用床板の取付方法において、
前記引き手段の上端を床板の上方にある吊り鉤に連接し、前記引き手段の下端を床板が位置する高さに置いてコンクリートを注入して、床板がある程度に凝固した後、土工板を取り外して次階の床板の取付を実施し、床板が自身の重量を支持できると、引き手段を取り外すことを特徴とする、
建物用床板の取付方法。
【請求項１６】
まず、固定部材を壁体に固定して、土工板を固定部材に押し付けることにより、土工板が取付けられることを特徴とする、請求項１５に記載の建物用床板の取付方法。
【請求項１７】
前記引き手段は、その上端が床板の上方に位置する壁体に連接し、その下端が土工板内の鉄筋と連接し、全体が傾斜状を呈することを特徴とする、請求項１５に記載の建物用床板の取付方法。
【請求項１８】
前記引き手段は、その上端が上階の土工板を支持する固定部材にある枠と連接し、その下端が土工板を貫通し、全体が鉛直状を呈することを特徴とする、請求項１５に記載の建物用床板の取付方法。
【請求項１９】
前記引き手段は、その上端が上階の床板を引くための引き手段と連接し、その下端が土工板を貫通し、全体が鉛直状を呈することを特徴とする、請求項１５に記載の建物用床板の取付方法。
【発明の詳細な説明】
【技術分野】
【０００１】
本発明は建物用床板の取付装置とその取付方法に係り、特に、多階の床板を取付けるための装置とその方法に関するものである。
【背景技術】
【０００２】
建物の床板は、建物の空間を縦方向に分割して、使用者の建築空間に対する要求を満足するためのものである。目下の建物の床板の大半はコンクリート構造を採用し、図１に示すように、その取付方法は、毎階のコンクリート枠を完成し、又は全体の建物の力受け構造を完成した後、床板を下階から上階へ順序に取付け、下階の床板のコンクリートが注入された後、コンクリートがある程度に凝固して一定の強度になるまでに、ある時間を待つことが必要である。コンクリートが一定の強度になると、当該階の床板で支持枠を取付けて、上階の床板を継続に取付ける。
【０００３】
しかしながら、このような取付方法によれば、次のような欠点があった。
（イ）一定の時間に待ち、床板が凝固すると、始めて上階の床板の取付けが実施でき、且つ支持枠と床板の土工板との取付および取り外しが必要なので、仕事量が多くて工事期間が長かった。
【０００４】
（ロ）多数階の床板を同時に取付ける場合には、下階の床板が上にある多数階の床板と、支持枠と、床板の土工板との重量を受けることが必要であり、床板構造の強度に悪影響を与え、図１に示すように、床板が変形になり、且つ下階の床板に採用される支持枠もより高い強度を持つものが要求された。
【０００５】
だから、中国特許出願０１１２９７９６号（出願日は２００１年１０月２２日）には、「建物用床板の取付装置とその取付方法」を開示した。その取付方法は、上から下へ床板を取付け、まず、固定部材を建物の力受け構造に固定し、床板の土工板が前記固定部材を押し、床板の土工板の下には一支持枠が支持してあり、前記支持枠は一引き装置を通じて固定部材に吊られて、コンクリートを注入して床板を作る。前記床板がある程度に凝固する場合には、再び固定部材を下階の床板に取付けて、支持枠を一引き装置に通じて下階の固定部材に吊って、上階の固定部材を取り外して、床板の土工板が重力により引き装置に引かれて下階の固定部材に降下し、固定部材を押し、ここで、コンクリートを注入して次階の床板を作る。このような取付方法を採用すれば、多数階の床板を同時に取付けることができ、支持枠と、床板の土工板との取り外し及び取付けなどの工事を省略することができ、取付工事期間が短縮でき、下階の床板が上階の床板の重量を受けることが回避できる。しかしながら、床板を作るためにコンクリートを注入した後、床板がある程度に凝固し自身の重量を支持できるまでに、一定の時間に持つことが必要であり、床板がある程度に凝固した後、始めて床板の土工板を取り外すことができる。
【発明の開示】
【発明が解決しようとする課題】
【０００６】
本発明の主な目的は、床板を作るためにコンクリートを注入した後、床板がある程度に凝固するときに、床板の土工板を取り外して、次階の床板のコンクリート注入を実施することができることにより、床板の取付効率が向上し、床板の建築品質を確保できる、建物用床板の取付装置とその取付方法を提供する。
【課題を解決するための手段】
【０００７】
上記目的を達成するためになされた本願の発明は、床板を吊り上げるための吊り鉤を含み、前記吊り鉤は床板が位置する平面よりも高く、前記吊り鉤と床板との間には引き手段が連接してあり、前記吊り鉤が建物の壁体にある取付部材に固定される、建物用床板の取付装置において、前記引き手段の上端は鉤リングを通過して取付部材と連接することを特徴とする建物用床板の取付装置であることを要旨としている。
【０００８】
本願の発明では、前記取付部材はボルトにより、壁体にある取付ブロックに固定され、又は壁体にある鉄筋に固定されることを特徴とする請求項１に記載の建物用床板の取付装置であることを要旨としている。
【０００９】
本願の発明では、前記取付部材は、互いに連接してＴ字形になる板状物と連接ロッドとを含み、前記板状物と連接ロッドの上端とが壁体内に埋められ、連接ロッドの下端が壁体を貫通して突出することを特徴とする請求項１に記載の建物用床板の取付装置であることを要旨としている。
【００１０】
本願の発明では、前記連接ロッドは螺旋により引き手段と連接することを特徴とする請求項３に記載の建物用床板の取付装置であることを要旨としている。
【００１１】
本願の発明では、前記引き手段はプル・ロッドであることを特徴とする請求項１又は３に記載の建物用床板の取付装置であることを要旨としている。
【００１２】
本願の発明では、前記吊り鉤は、上階の土工板を支持する固定部材にある枠と連接することを特徴とする請求項１に記載の建物用床板の取付装置であることを要旨としている。
【００１３】
本願の発明では、前記引き手段は螺旋ロッドであり、その下端は、床板内に挿入され、湾折されたものであり又は板状物と連接することを特徴とする請求項１又は６に記載の建物用床板の取付装置であることを要旨としている。
【００１４】
本願の発明では、前記引き手段は、鋼索またはチェーンであることを特徴とする請求項６に記載の建物用床板の取付装置であることを要旨としている。
【００１５】
本願の発明では、前記板状物は、螺旋により引き手段と連接することを特徴とする請求項７に記載の建物用床板の取付装置であることを要旨としている。
【００１６】
本願の発明では、前記吊り鉤は上階の床板を引くための引き手段であることを特徴とする請求項１に記載の建物用床板の取付装置であることを要旨としている。
【００１７】
本願の発明では、前記引き手段は螺旋ロッドであり、その上端が上階の床板を引くための螺旋ロッドの下端と連接し、その下端が引かれる床板を挿通することを特徴とする請求項１０に記載の建物用床板の取付装置であることを要旨としている。
【００１８】
本願の発明では、前記螺旋ロッドの間は溶接により連接することを特徴とする請求項１１に記載の建物用床板の取付装置であることを要旨としている。
【００１９】
本願の発明では、前記引き手段は、床板を挿通する鋼索またはチェーンであり、その間が鉤リングにより連接することを特徴とする請求項１０に記載の建物用床板の取付装置であることを要旨としている。
【００２０】
本願の発明では、前記鋼索またはチェーンの下端には、幅が上から下へ拡大する楔状物と連接し、前記楔状物が床板内に挿入してあり、前記楔状物の下端には重いものを吊り上げるための吊り鉤が設けてあることを特徴とする請求項８又は１３に記載の建物用床板の取付装置であることを要旨としている。
【００２１】
本願の発明では、床板の土工板と鉄筋とを先に取り付ける、建物用床板の取付方法において、前記引き手段の上端を床板の上方にある吊り鉤に連接し、前記引き手段の下端を床板が位置する高さに置いてコンクリートを注入して、床板がある程度に凝固した後、土工板を取り外して次階の床板の取付を実施し、床板が自身の重量を支持できると、引き手段を取り外すことを特徴とする建物用床板の取付方法であることを要旨としている。
【００２２】
本願の発明では、まず、固定部材を壁体に固定して、土工板を固定部材に押し付けることにより、土工板が取付けられることを特徴とする請求項１５に記載の建物用床板の取付方法であることを要旨としている。
【００２３】
本願の発明では、前記引き手段は、その上端が床板の上方に位置する壁体に連接し、その下端が土工板内の鉄筋と連接し、全体が傾斜状を呈することを特徴とする請求項１５に記載の建物用床板の取付方法であることを要旨としている。
【００２４】
本願の発明では、前記引き手段は、その上端が上階の土工板を支持する固定部材にある枠と連接し、その下端が土工板を貫通し、全体が鉛直状を呈することを特徴とする請求項１５に記載の建物用床板の取付方法であることを要旨としている。
【００２５】
本願の発明では、前記引き手段は、その上端が上階の床板を引くための引き手段と連接し、その下端が土工板を貫通し、全体が鉛直状を呈することを特徴とする請求項１５に記載の建物用床板の取付方法であることを要旨としている。
【発明の効果】
【００２６】
本発明に係る建物用床板の取付装置とその取付方法によれば、次のような効果がある。
（イ）凝固過程中に床板が上階の床板からの圧力を受けないので、下階の床板が上階の床板の重量を受けて変形することを回避できる。
【００２７】
（ロ）引き手段に引かれることにより、床板がある程度に凝固し自身の重量を支持できるまでに待って土工板を取り外して下階の床板を取付けることが必要ないので、床板の取付効率が向上する。
【００２８】
（ハ）床板の取付は上から下へ実施するので、土工板を取り外した後、前記土工板が重力により引き装置に従って下階に降下して取付けることができるため、土工板の搬送および取付工事を省略することができる。
【発明を実施するための最良の形態】
【００２９】
以下、添付図面を参照して本発明の好適な実施の形態を詳細に説明する。
【００３０】
（実施例１）
本発明に係る建物用床板の取付装置とその取付方法は多種類の土工板の取付方法と結合して使用することができる。例えば、中国特許０１１２９７９６号公報で開示した取付方法と結合して使用する方法は下記にある。
【００３１】
図２に示すように、前記引き手段は、プル・ロッド２と、プル・ロッド２の端部にある螺旋ヘッド１０とを含み、床板３を取付けようとする高さに固定部材５を固定して、固定部材５の上方に床板の土工板４を取付けて、土工板４にコンクリートを注入して床板３を作り、コンクリートを注入する前に、螺旋ヘッド１０を持つプル・ロッド２の下端を床板３の上から斜めに挿入し、前記プル・ロッド２の上端は、湾折し鉤状になり、力受け部材に吊り、図２と図７に示すように、前記力受け部材が壁体９にある取付部材１である。コンクリートを注入した後、床板３が一定程度に凝固すると、下階の床板の位置にもう一固定部材５を取付け、且つ床板の土工板４と支持枠８とを引き手段６により新たに設置された固定部材５まで引き、コンクリートを注入した床板３が若干本のプル・ロッド２に引かれ、床板の土工板４が凝固した後、取付部材１を取り外して、プル・ロッド２を螺旋ヘッド１０から緩めて分離すると、前記螺旋ヘッド１０が床板３に残り、且つコンクリートにより床板を取付ける過程中に残った穴を埋める。
【００３２】
図３に示すように、下の次階の床板を作る場合には、固定部材５を取り外し、そうすると、支持枠８と、床板の土工板４との重量が次の固定部材５で受ける。図４と図５に示すように、重力により引き手段６は床板の土工板４を次の固定部材５に降下して、次階の床板の取付を実施する。
【００３３】
（実施例２）
図８乃至図１０に示すように、引き手段は、鉤形状のプル・ロッド２であり、その一端が床板３に挿入して湾折され、その他端が鉤形状に湾折されて力受け部材とする壁体９にある鉄筋９´と連接し、前記プル・ロッド２全体が傾斜状を呈する。
【００３４】
（実施例３）
図１１乃至図１３に示すように、引き手段は螺着されたプル・ロッド２とスリーブ１１とを含み、前記プル・ロッド２の端部が板状物７と連接ロッドとに連接し、前記板状物７と連接ロッドとは溶接によりＴ字形に結合して壁体９内に嵌められ、前記連接ロッドの他端がプル・ロッド２と連接し、プル・ロッド２の下端には螺旋を有し壁体９の外に突出する。且つ引き手段と床板との連接も板状物７と連接ロッドとが溶接によりＴ字形に結合することを通じて実現する。
【００３５】
図１１乃至図１３に示すように、引き手段はプル・ロッド２の間に一スリーブ１１が嵌めて成すものであり、前記プル・ロッド２は、その一端が板状物７を通じて床板３と連接し、その他端が壁体９と連接し、前記板状物７が連接ロッドを通じて前記プル・ロッド２と連接する。
【００３６】
（実施例４）
図１４乃至図１６に示すように、プル・ロッド２の両端が鉤形状に湾折されて床板３にある鉄筋３´と、壁体９にある鉄筋９´とに連接し、前記プル・ロッド２の間にスリーブ１１が嵌めてあり、スリーブ１１が螺旋によりプル・ロッド２を結合し、前記スリーブ１１の回転方法を転換することにより、プル・ロッド２が緩め又は緊迫になり、プル・ロッド２の力受け状態を調整することができる。
【００３７】
（実施例５）
図１７と図１８に示すように、螺旋ロッド２´は、その一端が凝固していない床板３を通過し、その他端が凝固していない床板３の上方にある力受け部材と連接し、取付けるときには、床板３にコンクリートを注入する前に前記螺旋ロッド２´が床板３を貫通し、コンクリートが凝固し膨張して螺旋ロッド２´に圧力を加え、前記螺旋ロッド２´に凹凸が付けたので、凝固していない床板３が重力により下へ撓むときに、螺旋ロッド２´とコンクリートとの間の摩擦力が床板３の重力と平衡し、床板３の撓みを正常範囲内に維持する。凝固していない床板３の上方にある力受け部材は固定部材にある枠と連接するときに、螺旋ロッド２´は、その上端が前記枠と連接し、その下端が凝固していない床板３を通過する。前記床板３の上方には凝固していない床板３の上階の床板の引き手段が設けてあり、前記引き手段が螺旋ロッド２´であり、前記螺旋ロッド２´の間は溶接により連接し、溶接箇所が各階の床板の上方に位置する。
【００３８】
（実施例６）
図１９と図２０に示すように、前記引き手段は鋼索２″であり、前記鋼索２″は、その一端が吊り鉤１２を通過して凝固していない床板３と連接し、その他端が凝固していない床板３の上方にある力受け部材と連接し、前記吊り鉤１２の底部には幅が上から下へ縮小する楔状物１３が連接してあり、前記楔状物１３が床板３を貫通し、前記楔状物１３の下端に吊り鉤１２が設けてあり、鋼索２″を直線にするために前記吊り鉤１２には重りが吊ってある。そうすると、コンクリートが注入され凝固していない床板３が引かれて撓まないようになる。凝固していない床板３の上方にある力受け部材が固定部材にある枠と連接する場合には、鋼索２″は、その上端が前記枠と連接し、その下端が前記楔状物１３を通じて凝固していない床板３を通過する。凝固していない床板３の上方にある力受け部材が凝固していない床板３の上階の床板にある引き手段である場合には、前記鋼索２″が多数階の床板を通過することができ、前記鋼索２″の間は吊り鉤１２を通じて楔状物１３と連接する。
【００３９】
（実施例７）
図２１と図２２に示すように、本実施例では、引き手段はチェーン２'''であり、その他が実施例６と同様である。
【００４０】
本発明に係る建物用床板の取付装置とその取付方法は、上記各実施例に限定されなく、その中心な内容は、床板を取付けるときに、多数本の引き手段により床板を建物の力受け部材に掛けるので、床板が凝固し自身の重量を支持できるまでに待ってから土工板を取り外すことが必要ないため、床板の作る速度を速めることができ、且つ各床板の力受けが独立であるので、下階の床板の構造を破壊することがあり得ない。
【図面の簡単な説明】
【００４１】
【図１】従来の床板の取付方法を示す概略図である。
【図２】本発明に係る実施例１の取付プロセスを示す概略図１である。
【図３】本発明に係る実施例１の取付プロセスを示す概略図２である。
【図４】本発明に係る実施例１の取付プロセスを示す概略図３である。
【図５】本発明に係る実施例１の取付プロセスを示す概略図４である。
【図６】本発明に係る実施例１の平面図である。
【図７】図１におけるＡ部位の拡大図である。
【図８】本発明に係る実施例２の構造を示す概略図である。
【図９】図８におけるＢ部位の拡大図である。
【図１０】図８におけるＣ部位の拡大図である。
【図１１】本発明に係る実施例３の構造を示す概略図である。
【図１２】図１１におけるＤ部位の拡大図である。
【図１３】図１１におけるＥ部位の拡大図である。
【図１４】本発明に係る実施例４の構造を示す概略図である。
【図１５】図１４におけるＦ部位の拡大図である。
【図１６】図１４におけるＧ部位の拡大図である。
【図１７】本発明に係る実施例５の構造を示す概略図である。
【図１８】図１７におけるＨ部位の拡大図である。
【図１９】本発明に係る実施例６の構造を示す概略図である。
【図２０】図１９におけるＩ部位の拡大図である。
【図２１】本発明に係る実施例７の構造を示す概略図である。
【図２２】図２１におけるＪ部位の拡大図である。
【符号の説明】
【００４２】
１        取付部材                  ２        プル・ロッド
２´      螺旋ロッド                ２″      鋼索
３        床板                      ３´      鉄筋
４        土工板                    ５        固定部材
６        引き手段                  ７        板状物
８        支持枠                    ９        壁体
９´      鉄筋                      １０      螺旋ヘッド
１１      スリーブ                  １２      吊り鉤
１３      楔状物
【図１】
2005525485.tif 000003
【図２】
2005525485.tif 000004
【図３】
2005525485.tif 000005
【図４】
2005525485.tif 000006
【図５】
2005525485.tif 000007
【図６】
2005525485.tif 000008
【図７】
2005525485.tif 000009
【図８】
2005525485.tif 000010
【図９】
2005525485.tif 000011
【図１０】
2005525485.tif 000012
【図１１】
2005525485.tif 000013
【図１２】
2005525485.tif 000014
【図１３】
2005525485.tif 000015
【図１４】
2005525485.tif 000016
【図１５】
2005525485.tif 000017
【図１６】
2005525485.tif 000018
【図１７】
2005525485.tif 000019
【図１８】
2005525485.tif 000020
【図１９】
2005525485.tif 000021
【図２０】
2005525485.tif 000022
【図２１】
2005525485.tif 000023
【図２２】
2005525485.tif 000024
【国際調査報告】
2005525485.tif 000025
2005525485.tif 000026
2005525485.tif 000027
2005525485.tif 000028
2005525485.tif 000029
2005525485.tif 000030